(57)【要約】【課題】表示パネルに負担をかけることなく、フィルタと筐体間の電気的な接続バラツキを抑えて、容易に電磁波遮蔽能力を向上することができるフィルタ、およびそれを用いたプラズマディスプレイ装置を提供する。【解決手段】プラズマディスプレイ装置において、直貼りフィルタ３は、筐体との間で電気的に接続するフィルタコンタクト部４を有し、このフィルタコンタクト部４は筐体側に凸状となる凸部６が設けられ、直貼りフィルタ３と筐体間を接続するためのガスケットとの接続を確実に行う構成とする。【選択図】図２
2008107385.tif 000002
【特許請求の範囲】
【請求項１】
ガラス製の表示パネルに貼合されるフィルタであって、
前記表示パネルを保持する筐体との間で電気的に接続するフィルタコンタクト部を有し、
前記フィルタコンタクト部は、前記筐体側に凸状となる凸部が設けられていることを特徴とするフィルタ。
【請求項２】
請求項１記載のフィルタにおいて、
前記フィルタコンタクト部は、前記フィルタの周囲に設けられ、
前記凸部は、前記フィルタコンタクト部の全周に設けられていることを特徴とするフィルタ。
【請求項３】
請求項１記載のフィルタにおいて、
前記フィルタコンタクト部は、前記凸部の裏側に補強剤が塗布されていることを特徴とするフィルタ。
【請求項４】
請求項１記載のフィルタにおいて、
前記凸部の間隔は、５〜１０ｃｍ以下に設けられていることを特徴とするフィルタ。
【請求項５】
請求項１記載のフィルタにおいて、
前記凸部の高さは、０．４ｍｍ以上に設けられていることを特徴とするフィルタ。
【請求項６】
請求項１記載のフィルタにおいて、
前記凸部の大きさは、Φ３．０ｍｍ以上に設けられていることを特徴とするフィルタ。
【請求項７】
ガラス製の表示パネルと、
前記表示パネルを保持する筐体と、
前記表示パネルに貼合されるフィルタとを有するプラズマディスプレイ装置であって、
前記フィルタは、前記筐体との間で電気的に接続するフィルタコンタクト部を有し、
前記フィルタコンタクト部は、前記筐体側に凸状となる凸部が設けられていることを特徴とするプラズマディスプレイ装置。
【請求項８】
請求項７記載のプラズマディスプレイ装置において、
前記筐体は、前記フィルタの前記フィルタコンタクト部に設けられた前記凸部に対応する位置に、前記フィルタとの間で電気的に接続し、前記フィルタ側に凸状となる凸部が設けられていることを特徴とするプラズマディスプレイ装置。
【発明の詳細な説明】
【技術分野】
【０００１】
本発明は、ガラス製の表示パネルを有するプラズマディスプレイ装置の技術に関し、特に、表示パネルの表示面に直に貼り合わせられるフィルタ、いわゆる直貼りフィルタの構造に適用して有効な技術に関する。
【背景技術】
【０００２】
例えば、プラズマディスプレイ装置において、そのガラス製の表示パネルは、筐体に全周に渡って挟み込むように保持されている。この表示パネルには、直貼りフィルタが貼合され、筐体との間で電気的に接続されている。この直貼りフィルタと筐体との電気的な接続は、フィルタのコンタクト部と筐体間にガスケットを挿入し、圧力をかけて双方をコンタクトする手法が一般的であり、このフィルタのコンタクト部は平面化処理されている。
【発明の開示】
【発明が解決しようとする課題】
【０００３】
ところで、前記のような直貼りフィルタと筐体との電気的な接続方法においては、本発明者の検討によれば以下のような課題があることが分かった。
【０００４】
例えば、大型化による表示パネル／筐体の歪みに対して、筐体とフィルタとの電気的な接続バラツキが大きくなり、電磁波遮蔽能力が低下することが考えられる。また、この電気的な接続バラツキを改善するためには、圧力を増やすことになるが、この場合には表示パネルに負担をかける方向になり、好ましい方法とは言えない。
【０００５】
そこで、本発明の目的は、表示パネルに負担をかけることなく、フィルタと筐体間の電気的な接続バラツキを抑えて、容易に電磁波遮蔽能力を向上することができるフィルタ、およびそれを用いたプラズマディスプレイ装置を提供することにある。
【０００６】
本発明の前記ならびにその他の目的と新規な特徴は、本明細書の記述および添付図面から明らかになるであろう。
【課題を解決するための手段】
【０００７】
本願において開示される発明のうち、代表的なものの概要を簡単に説明すれば、次のとおりである。
【０００８】
本発明は、表示パネルに貼合される直貼りフィルタ、およびそれを用いたプラズマディスプレイ装置に適用され、以下のような特徴を有する。
【０００９】
すなわち、本発明では、直貼りフィルタのコンタクト部に、筐体側に凸状となる凸部を設け、フィルタと筐体間を接続するためのガスケットとの接続を確実に行う構成とする。
【発明の効果】
【００１０】
本願において開示される発明のうち、代表的なものによって得られる効果を簡単に説明すれば以下のとおりである。
【００１１】
本発明によれば、表示パネルに負担をかけることなく、フィルタと筐体間の電気的な接続バラツキを抑えて、容易に電磁波遮蔽能力を向上することができる。
【発明を実施するための最良の形態】
【００１２】
以下、本発明の実施の形態を図面に基づいて詳細に説明する。なお、実施の形態を説明するための全図において、同一の部材には原則として同一の符号を付し、その繰り返しの説明は省略する。
【００１３】
図１は、本発明の一実施の形態におけるプラズマディスプレイ装置を概略的に示す断面模式図である。図２は、直貼りフィルタの説明において、（ａ）は直貼りフィルタの外観を示す平面図、（ｂ）はそのフィルタコンタクト部を示す拡大平面図、（ｃ）はその拡大断面図である。
【００１４】
図１に示すように、プラズマディスプレイ装置は、ガラス製の表示パネル１と、この表示パネル１の全周を挟み込むように保持する筐体２と、表示パネル１に貼合される直貼りフィルタ３などを有して構成される。
【００１５】
このプラズマディスプレイ装置において、直貼りフィルタ３と筐体２との間の電気的な接続は、直貼りフィルタ３に設けられたフィルタコンタクト部４と筐体２との間にガスケット５を挿入し、圧力をかけて双方をコンタクトすることで行われる。
【００１６】
図２に示すように、直貼りフィルタ３は、この直貼りフィルタ３の周囲に、筐体２との間で電気的に接続するフィルタコンタクト部４が設けられている。このフィルタコンタクト部４には、筐体２側に凸状となる凸部６がフィルタコンタクト部４の全周に設けられている。この直貼りフィルタ３に設けられている凸部６により、筐体２との間を接続するためのガスケット５との接続を確実に行うことが可能となる。
【００１７】
この直貼りフィルタ３の凸部６は、裏側に補強剤７が塗布されている。この補強剤７には、硬化タイプまたはクッションタイプの絶縁性樹脂などが用いられる。また、凸部６の間隔Ｌは、５〜１０ｃｍ以下に設けられている。この間隔Ｌは、λ／４波長換算より求めた値である。なお、λ＝ｃ／ｆ（ｃ＝３×１０8、ｆ＝１ＧＨｚ）である。また、凸部６は、加工方法などを考慮して、高さＨが０．４ｍｍ以上、大きさΦが３．０ｍｍ以上に設けられている。この凸部６の加工には、押し込み方法などが用いられる。
【００１８】
この直貼りフィルタ３は、反射防止層、電磁波遮蔽層、近赤外光カット層、パネル発光色補正層、衝撃吸収層などの各層から構成され、本実施の形態では、特に、電磁波遮蔽層の機能に着目して、直貼りフィルタ３と筐体２との間の電気的な接続を実現している。
【００１９】
ガスケット５は、クッション材に繊維金属を巻いたもので、圧力をかけて潰すほど接触抵抗が小さくなる。このため、直貼りフィルタ３と筐体２との間の電気的な接続では、接触抵抗を小さくするために可能な限り圧力をかけて潰すことが望ましい。
【００２０】
以上により、本実施の形態のプラズマディスプレイ装置によれば、大型化による表示パネル１／筐体２の歪みに対しても、筐体２と直貼りフィルタ３との電気的な接続バラツキを抑えることができる。よって、表示パネル１に負担をかけることなく、直貼りフィルタ３と筐体２間の電気的な接続バラツキを抑えて、容易に電磁波遮蔽能力を向上することができる。
【００２１】
また、本実施の形態においては、例えば図３に示すように、筐体２にも同様の主旨で、直貼りフィルタ３と同様の凸部８を設けることができる。この場合の筐体２には、直貼りフィルタ３の凸部６に対応する位置に、直貼りフィルタ３側に凸状となる凸部８を設けることで実現できる。この場合には、筐体２の凸部８と直貼りフィルタ３の凸部６により、より一層、筐体２と直貼りフィルタ３との電気的な接続バラツキを抑えることが可能となる。
【００２２】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００２３】
本発明は、プラズマディスプレイ装置の技術に関し、特に、表示パネルに貼合される直貼りフィルタの構造に利用可能である。
【図面の簡単な説明】
【００２４】
【図１】本発明の一実施の形態におけるプラズマディスプレイ装置を概略的に示す断面模式図である。
【図２】本発明の一実施の形態におけるプラズマディスプレイ装置において、（ａ）は直貼りフィルタの外観を示す平面図、（ｂ）はそのフィルタコンタクト部を示す拡大平面図、（ｃ）はその拡大断面図である。
【図３】本発明の一実施の形態におけるプラズマディスプレイ装置において、筐体に凸部を設けた場合を概略的に示す断面模式図である。
【符号の説明】
【００２５】
１…表示パネル、２…筐体、３…直貼りフィルタ、４…フィルタコンタクト部、５…ガスケット、６…凸部、７…補強剤、８…凸部。
【図１】
2008107385.tif 000003
【図２】
2008107385.tif 000004
【図３】
2008107385.tif 000005